(57)【要約】【課題】屋内配線作業における施工性を従来よりも向上させつつ、電気接続性能を従来よりも向上させることができる屋内配線用ユニットケーブルを提供する。【解決手段】屋内配線用ユニットケーブル１は、端末において絶縁線心５を露出したケーブル２と、ケーブル２同士を接続するケーブル接続部と、絶縁線心５の導体８に接続される導体接続部１０を有する端子３とを備える。導体８は、アルミニウム又はアルミニウム合金からなる。ケーブル接続部と端子３とは、導体８とは異なる材料にて形成される。ケーブル接続部と導体接続部１０の少なくともいずれかに酸化被膜破壊手段と止水手段の少なくともいずれかを備える。【選択図】図４
2020031465.tif 000002
【特許請求の範囲】
【請求項１】
ジョイントボックスと、
端末において絶縁線心を露出した複数のケーブルと、
該ケーブル同士を接続し且つ前記ジョイントボックスに収容されるケーブル接続部と、
前記絶縁線心の導体が挿入可能で且つ該導体に接続される導体接続部を有する端子と、
を備え、
前記導体は、アルミニウム又はアルミニウム合金からなり、
前記ケーブル接続部と前記端子とは、前記導体とは異なる材料にて形成され、
前記ケーブル接続部と前記導体接続部の少なくともいずれかに、前記導体の外面に生成された酸化被膜を破壊可能な酸化被膜破壊手段と外部からの浸水を防止可能な止水手段の少なくともいずれかを備える
ことを特徴とする屋内配線用ユニットケーブル。
【請求項２】
請求項１に記載の屋内配線用ユニットケーブルにおいて、
前記酸化被膜破壊手段は、
前記ケーブル接続部の接続箇所と前記導体接続部内の内面の少なくともいずれかに形成された凹凸部であり、
前記止水手段は、
前記ケーブル接続部内と前記導体接続部内の少なくともいずれかに充填される封止材である
ことを特徴とする屋内配線用ユニットケーブル。
【請求項３】
請求項１に記載の屋内配線用ユニットケーブルにおいて、
前記酸化被膜破壊手段は、
前記ケーブル接続部の接続箇所と前記導体接続部内の内面の少なくともいずれかに形成された凹凸部であり、
前記止水手段は、
前記ケーブル接続部の外側と前記導体接続部の外側の少なくともいずれかに嵌着される封止部材と、該封止部材内に充填される封止材と、を備えて構成される
ことを特徴とする屋内配線用ユニットケーブル。
【発明の詳細な説明】
【技術分野】
【０００１】
本発明は、屋内配線に用いられるユニットケーブルに関する。
【背景技術】
【０００２】
近年、玄関や居間や寝室などの各部屋別にユニット化した部屋ユニットを住宅メーカーの工場で製造し、これらを施工現場で施主の希望や敷地形状に応じて組み付けることにより、一つの部屋が出来上がるようなプレハブ住宅工法が知られている。プレハブ住宅工法においては、各部屋ユニット別の配線も予め工場内で行われるようになっており、この配線によって屋内配線作業の簡素化を達成することができるようになっている。屋内配線作業の簡素化を達成するためには、ジョイントボックスを備えた屋内配線用ユニットケーブルを用いることが有効である。
【０００３】
従来の屋内配線用ユニットケーブルとしては、例えば、特許文献１に開示されているような技術が知られている。特許文献１の図７に図示するように、従来の屋内配線用ユニットケーブルは、ジョイントボックスの内部に絶縁性の熱硬化性樹脂（エポキシ樹脂等）４を充填・モールドして、分岐接続した結線部を固定及び保護するような構造が採用されている。従来の屋内配線用ユニットケーブルは、用途に応じて２芯ケーブル、３芯ケーブル等のものが使用されている。ケーブル２を構成する絶縁線心１の結線部は、圧着スリーブ３を用いて結線がなされている。
【０００４】
その他の屋内配線用ユニットケーブルとしては、種々の構造のものが知られている。例えば、上記圧着スリーブに換えて差込コネクタを採用したものがある。このように差込コネクタを採用することにより接続を容易にすることができる。また、上記熱硬化性樹脂を使用せず、ジョイントボックスの筐体内にケーブルホルダー（ケーブルの留め部）を設け、このケーブルホルダーにケーブルを保持させたものもある。このようにケーブルホルダーにケーブルを保持させた状態でケーブルの引き抜き方向に外力が加わったとしても、結線部の接続状態に影響を来さないようにすることができる。
【先行技術文献】
【特許文献】
【０００５】
【特許文献１】特開２００９−２１１１８号公報
【発明の概要】
【発明が解決しようとする課題】
【０００６】
ところで、従来技術では、銅製の導体（以下、「銅導体」という）のケーブルを接続するものである。ここで、銅導体は、比較的質量があるため、屋内配線作業において作業者が手作業でケーブルを配線する際、作業者にとって取り回しの負担が大きく、ケーブルの運搬及び設置、ケーブル延線等の施工性が悪いという問題点があった。
【０００７】
そこで、上記問題点を解決するために、ケーブルを構成する導体に、アルミニウム又はアルミニウム合金からなるものを採用することが考えられる。しかしながら、アルミニウム又はアルミニウム合金からなる導体を備えるケーブルを採用した場合、以下のような問題点が挙げられる。
【０００８】
すなわち、相手端子金具（例えば、分電盤や、各部屋の器具、配線機器等の端子金具）は、銅製のものであるため、アルミニウム又はアルミニウム合金からなる導体と接続した場合、長期の使用において異種金属間腐食が発生する虞があるという問題点があった。
【０００９】
また、アルミニウム又はアルミニウム合金からなる導体の表面には、空気中において、銅導体と比較して厚い酸化被膜が生成されている。酸化被膜は、固有抵抗値が高いため、アルミニウム又はアルミニウム合金からなる導体を上記接続端子に接続（圧着）しようとする場合、酸化被膜を破壊しながら導体と接続端子との接触導通を図る必要がある。しかしながら、アルミニウム又はアルミニウム合金からなる導体を従来技術における接続端子（銅導体を接続するための接続端子）に接続しようとする場合、接続時の圧着荷重だけでは酸化被膜を十分に破壊できない虞があった。このように酸化被膜を十分に破壊できないと、導体と接続端子との接続部の接触抵抗の増加を招き、導体と接続端子との電気接続性能に影響を来す虞があるという問題点があった。
【００１０】
本発明は、上記した事情に鑑みてなされたもので、屋内配線作業における施工性を従来よりも向上させつつ、電気接続性能を従来よりも向上させることができる屋内配線用ユニットケーブルを提供することを課題とする。
【課題を解決するための手段】
【００１１】
上記課題を解決するためになされた請求項１記載の本発明の屋内配線用ユニットケーブルは、ジョイントボックスと、端末において絶縁線心を露出した複数のケーブルと、該ケーブル同士を接続し且つ前記ジョイントボックスに収容されるケーブル接続部と、前記絶縁線心の導体が挿入可能で且つ該導体に接続される導体接続部を有する端子と、を備え、前記導体は、アルミニウム又はアルミニウム合金からなり、前記ケーブル接続部と前記端子とは、前記導体とは異なる材料にて形成され、前記ケーブル接続部と前記導体接続部の少なくともいずれかに、前記導体の外面に生成された酸化被膜を破壊可能な酸化被膜破壊手段と外部からの浸水を防止可能な止水手段の少なくともいずれかを備えることを特徴とする。
【００１２】
請求項２記載の本発明の屋内配線用ユニットケーブルは、請求項１に記載の屋内配線用ユニットケーブルにおいて、前記酸化被膜破壊手段は、前記ケーブル接続部の接続箇所と前記導体接続部内の内面の少なくともいずれかに形成された凹凸部であり、前記止水手段は、前記ケーブル接続部内と前記導体接続部内の少なくともいずれかに充填される封止材であることを特徴とする。
【００１３】
請求項３記載の本発明の屋内配線用ユニットケーブルは、請求項１に記載の屋内配線用ユニットケーブルにおいて、前記酸化被膜破壊手段は、前記ケーブル接続部の接続箇所と前記導体接続部内の内面の少なくともいずれかに形成された凹凸部であり、前記止水手段は、前記ケーブル接続部の外側と前記導体接続部の外側の少なくともいずれかに嵌着される封止部材と、該封止部材内に充填される封止材と、を備えて構成されることを特徴とする。
【００１４】
以上のような特徴を有する本発明によれば、屋内配線用ユニットケーブルを構成するケーブルの導体がアルミニウム又はアルミニウム合金からなるものであるため、従来の銅導体のケーブルを採用した屋内配線用ユニットケーブルと比較して軽量化される。
【００１５】
また、本発明によれば、屋内配線用ユニットケーブルのケーブル接続部における接続箇所に酸化被膜破壊手段（凹凸部）を備えることにより、ケーブル接続部に導体を接続する際に、導体の外面に生成された酸化被膜を破壊することができる。このように上記酸化被膜を破壊することにより、アルミニウム又はアルミニウム合金からなる導体同士で酸化被膜を介在させずに良好な接続を得ることができる。
【００１６】
また、本発明によれば、ケーブル接続部を封止するための熱硬化性樹脂をジョイントボックス内に充填しない場合において、ケーブル接続部に止水手段（封止材）を備えることにより、ケーブル接続部への外部からの浸水を防ぐことができる。このように上記浸水を防ぐことにより、ケーブル接続部に水分が介在することにより生じる異種金属間腐食を防ぐことができる。
【００１７】
また、本発明によれば、屋内配線用ユニットケーブルの端末において導体を端子と接続しているため、屋内配線用ユニットケーブルと、相手端子金具（例えば、分電盤や、各部屋の器具、配線機器等の端子金具）との接続は、同じ材料（銅）からなる端子同士の接続とすることができる。このように同じ材料からなる端子同士の接続とすることにより、長期にわたる使用により生じる異種金属間腐食を防ぐことができる。
【００１８】
また、本発明によれば、導体に端子を接続する作業を、屋内配線用ユニットケーブルの製造工場で行う場合、屋内配線用ユニットケーブルの製造工程において、導体の外面の酸化被膜を破壊する工程を含むため、屋内配線用ユニットケーブルの端末と端子とを良好に接続することができる。また、導体に端子を接続する作業を、屋内配線用ユニットケーブルの施工現場で行う場合、導体接続部に酸化被膜破壊手段（凹凸部）が形成されていることにより、導体に導体接続部を接続した際に、酸化被膜破壊手段にて導体の外面に生成された酸化被膜を破壊することができる。このように上記酸化被膜を破壊することにより、導体同士で酸化被膜を介在させずに良好な接続を得ることができる。
【００１９】
また、本発明によれば、端子の導体接続部に止水手段を備えることにより、アルミニウム又はアルミニウム合金からなる導体と導体接続部との接続箇所への外部からの浸水を防ぐことができる。このように上記浸水を防ぐことにより、導体と導体接続部との接続箇所に水分が介在することにより生じる異種金属間腐食を防ぐことができる。
【発明の効果】
【００２０】
本発明によれば、アルミニウム又はアルミニウム合金からなる導体を採用することにより、従来の銅導体のケーブルを採用した屋内配線用ユニットケーブルと比較し軽量化されるため、作業者が配線作業を行い易くなる。また、接続箇所において酸化被膜を介在させずに良好な接続を得ることができるとともに、異種金属間腐食の発生を防ぐことができる。したがって、本発明によれば、屋内配線作業における施工性を従来よりも向上させつつ、電気接続性能を従来よりも向上させることができるという効果を奏する。
【図面の簡単な説明】
【００２１】
【図１】本発明に係る屋内配線用ユニットケーブルの実施例１を示す正面図である。
【図２】屋内配線用ユニットケーブルを構成するケーブルの端末を示す斜視図である。
【図３】ケーブル用接続端子を示す斜視図であり、（ａ）はケーブル用接続端子を前側から視たときの斜視図、（ｂ）はケーブル用接続端子を後側から視たときの斜視図である。
【図４】絶縁線心の導体にケーブル用接続端子を接続する作業を説明するための図であって、導体にケーブル用接続端子を接続する前の状態を示す斜視図である。
【図５】絶縁線心の導体にケーブル用接続端子を接続する作業を説明するための図であって、導体にケーブル用接続端子を接続した状態を示す斜視図である。
【図６】実施例１におけるケーブル用接続端子の変形例を示す斜視図であって、（ａ）は変形例１を示す斜視図、（ｂ）は変形例２を示す斜視図である。
【図７】本発明に係る屋内配線用ユニットケーブルの実施例２におけるケーブル用接続端子を示す斜視図である。
【図８】封止部材を示す斜視図であり、（ａ）は封止部材を前側から視たときの斜視図、（ｂ）は封止部材を後側から視たときの斜視図である。
【図９】絶縁線心の導体にケーブル用接続端子を接続した状態において導体接続部の外側に封止部材を嵌着した状態を示す斜視図である。
【発明を実施するための形態】
【００２２】
以下、図１−図６を参照しながら、本発明に係る屋内配線用ユニットケーブルの実施例１について、また、図７−図９を参照しながら、本発明に係る屋内配線用ユニットケーブルの実施例２について、それぞれ、説明する。
【実施例１】
【００２３】
図１は本発明に係る屋内配線用ユニットケーブルの実施例１を示す正面図、図２は屋内配線用ユニットケーブルを構成するケーブルの端末を示す斜視図、図３はケーブル用接続端子を示す斜視図であり、（ａ）はケーブル用接続端子を前側から視たときの斜視図、（ｂ）はケーブル用接続端子を後側から視たときの斜視図、図４は絶縁線心の導体にケーブル用接続端子を接続する作業を説明するための図であって、導体にケーブル用接続端子を接続する前の状態を示す斜視図、図５は絶縁線心の導体にケーブル用接続端子を接続する作業を説明するための図であって、導体にケーブル用接続端子を接続した状態を示す斜視図、図６は実施例１におけるケーブル用接続端子の変形例を示す斜視図であって、（ａ）は変形例１を示す斜視図、（ｂ）は変形例２を示す斜視図である。
なお、図中の矢印は、前後方向を示している（矢印の各方向は一例であるものとする）。
【００２４】
図１において、引用符号１は、本発明に係る屋内配線用ユニットケーブルの実施例１を示している。屋内配線用ユニットケーブル１は、複数のケーブル２と、図示しない複数の差込コネクタと、複数のケーブル用接続端子３（図３参照）と、ジョイントボックス４とを備えて構成されている。以下、屋内配線用ユニットケーブル１の各構成について説明する。
【００２５】
まず、ケーブル２について説明する。
図２に図示するケーブル２は、特に限定するものでないが、公知のＶＶＦケーブルであって、２本の絶縁線心５と、これらを被覆するシース６とを備えている。なお、絶縁線心５の数は、一例であるものとする。また、上記ＶＶＦケーブルは、一例であり、他のケーブルであってもよいものとする。本実施例においては、６本のケーブル２が使用されている（この本数に限定されないものとする）。
【００２６】
ケーブル２の端末は、図４に図示するように、所定の長さでシース６が皮剥されており、２本の絶縁線心５が一列に並んで露出した状態になっている。露出した絶縁線心５の端末は、図４に図示するように、それぞれ絶縁体７が皮剥されて導体８が露出している。
【００２７】
導体８は、アルミニウム又はアルミニウム合金からなるものである。ここで、アルミニウムは、この比重が２．７ｇ／ｃｍ３である。一方、銅の比重は、８．９ｇ／ｃｍ３である。このように、アルミニウムの比重は、銅の比重の約１／３である。したがって、ケーブル２を備える屋内配線用ユニットケーブル１は、導体８がアルミニウム又はアルミニウム合金からなるものであるため、銅導体のケーブルを採用した屋内配線用ユニットケーブルと比較して軽いものとなっている。
【００２８】
導体８は、アルミニウム又はアルミニウム合金からなるものであるため、空気中において、この導体８の外面に、銅導体と比較して厚い酸化被膜が生成されている。酸化被膜は、固有抵抗値が高いため、導体８を、後述するコネクタ用接続端子やケーブル用接続端子３（図３参照）に接続しようとする場合、酸化被膜を破壊しながら導体８と上記コネクタ用接続端子やケーブル用接続端子３との接触導通を図る必要がある。
【００２９】
つぎに、差込コネクタについて説明する。
差込コネクタは、特許請求の範囲に記載される「ケーブル接続部」に相当するものである。差込コネクタは、特に図示しないが、ケーブル２の端末に接続されるものであって、ケーブル２同士を接続する部材である。本実施例において、差込コネクタは、単純に絶縁線心５を差し込むだけでケーブル２の端末に取り付くように構成されている。差込コネクタは、ハウジングと、このハウジング内（端子収容部）に収容されるコネクタ用接続端子とを備えている。
【００３０】
ハウジングは、絶縁性を有する合成樹脂材料からなり、略箱状に形成されている。ハウジングは、１つの側面に形成された絶縁線心差込口と、ハウジング内に形成され絶縁線心差込口に連通する端子収容部とを備えている。このようなハウジングは、端子収容部への外部からの浸水を防止することができる止水手段を備えている。上記「止水手段」は、具体的には、端子収容部に充填されるジェル状の封止材であるものとする。
【００３１】
コネクタ用接続端子は、導電性を有する金属板をプレス加工することにより形成されている。ここで、上記「導電性を有する金属板」は、銅からなるものとする。コネクタ用接続端子は、導体８と接触する箇所（接続箇所）に酸化被膜破壊手段を備えている。上記「酸化被膜破壊手段」は、具体的には、凹部と凸部とが連続するように形成されてなる凹凸部であるものとする（一例であるものとする）。凹凸部は、差込コネクタに絶縁線心５を差し込んだ際に、導体８の外面に生成された酸化被膜を破壊することができるように形成されている。
【００３２】
酸化被膜破壊手段としては、上記凹凸部に限定されるものではない、その他、上記接触箇所の表面粗さを高くする処理を施してもよいものとする。
【００３３】
ケーブル接続部としては、上記差込コネクタの他に、例えば、図示しない圧着スリーブを採用してもよいものとする。この圧着スリーブは、内面に、凹凸部が形成されている。この凹凸部は、圧着スリーブを圧着した際に、導体８の外面に生成された酸化被膜を破壊することができるように形成されている。このような圧着スリーブを採用する場合、外部からの浸水を防止する手段として、例えば、ジェル状の封止材を圧着スリーブ内に充填したり、圧着スリーブを圧着した後、圧着スリーブの外側に絶縁チューブを嵌着させてもよいものとする。
【００３４】
つぎに、ケーブル用接続端子３について説明する。
図３に図示するケーブル用接続端子３は、特許請求の範囲に記載される「端子」に相当するものである。ケーブル用接続端子３は、導電性を有する金属材料にて成形され、棒状に形成されている。ここで、上記「導電性を有する金属材料」は、銅からなるものとする。ケーブル用接続端子３は、ケーブル２の端末のうち、差込コネクタに取り付けられる側とは反対側の端末における絶縁線心５の導体８に接続されるものである。ケーブル用接続端子３は、図３に図示するように、電気接触部９と、この電気接触部９に連続する導体接続部１０とを備えている。
【００３５】
図３に図示する電気接触部９は、ケーブル用接続端子３の前後方向における前側に配置されるように設けられている。電気接触部９は、図示しない相手端子金具（例えば、分電盤や、各部屋の器具、配線機器等の端子金具）と接触し電気的に接続する部分であって、円柱状に形成されている。なお、電気接触部９の形状は、上記形状に限定されるものではない。その他、後述する他の形状であってもよいものとする。
【００３６】
図３に図示する導体接続部１０は、ケーブル用接続端子３の前後方向における後側に配置されるように設けられ、電気接触部９の後端に連続するように形成されている。導体接続部１０は、導体８に電気的に接続する部分であって、前端側が電気接触部９にて閉塞された筒状に形成されている。導体接続部１０の後端には、導体挿入口１１が形成されている。導体挿入口１１は、導体接続部１０の内部に連通している。導体接続部１０の内部は、ジェル状の封止材（止水手段）が充填される部分であって、導体８が挿入することができるように形成されている。導体８に対するケーブル用接続端子３の接続は、導体接続部１０の内部に封止材を充填した状態において、この導体接続部１０の内部に導体８を挿入した後、導体接続部１０を圧着することにより行う。なお、導体接続部１０の構成は、上記構成に限定されるものではない。その他、後述する他の構成であってもよいものとする。
【００３７】
導体接続部１０の内面１２には、特に図示しないが、凹凸部（酸化被膜破壊手段）が形成されている。凹凸部は、導体接続部１０を圧着した際に、導体８の外面に生成された酸化被膜を破壊することができるように形成されている。
【００３８】
酸化被膜破壊手段としては、上記凹凸部に限定されるものではない、その他、上記接触箇所の表面粗さを高くする処理を施してもよいものとする。
【００３９】
つぎに、ジョイントボックス４について説明する。
図１に図示するジョイントボックス４は、絶縁性を有する合成樹脂材料にて成形され、箱状に形成されている。ジョイントボックス４は、特に図示しないが、この内部にケーブル２の端末側や、ケーブル２同士を接続した差込コネクタ等が収容されている。ジョイントボックス４は、ジョイントボックス４は、この下面にケーブル２を導出するためのケーブル導出口１３が形成されている。
【００４０】
なお、ジョイントボックス４の内部には、図示しないケーブルホルダーを設け、ケーブル２を保持するようにしてもよいものとする。ここで、ケーブルホルダーは、ケーブル２を保持した状態でケーブル引き抜き方向の外力が加わったとしても、ケーブル２同士の接続状態に影響を来さないような保持力を有するものであることがことが好ましい。
【００４１】
つぎに、屋内配線用ユニットケーブル１の組み立て作業について説明する。
まず、予め、図２に図示するケーブル２の端末の処理を行う。具体的には、図４に図示するように、ケーブル２の両端において、所定の長さでシース６を皮剥し、２本の絶縁線心５を露出した状態にさせる。さらに、上記露出させた絶縁線心５の端末において、絶縁体７を皮剥し、導体８を露出した状態にさせる。
【００４２】
つぎに、ケーブル２同士を差込コネクタにて接続する。具体的には、まず、複数のケーブル２の一端側と、差込コネクタとをジョイントボックス４の内部に配置させる。なお、差込コネクタのハウジング内（端子収容部）には、予め、ジェル状の封止材を充填させておくものとする。しかる後、差込コネクタに絶縁線心５を差し込み、ケーブル２同士を接続する。
【００４３】
ここで、ケーブル２同士を差込コネクタにて接続したときの作用について説明する。
本実施例によれば、差込コネクタのコネクタ用接続端子は、導体８と接触する箇所（接続箇所）に凹凸部（酸化被膜破壊手段）を備えることにより、差込コネクタに絶縁線心５を差し込んだ際に、凹凸部にて導体８の外面に生成された酸化被膜を破壊することができる。このように上記酸化被膜を破壊することにより、導体８同士で酸化被膜を介在させずに良好な接続を得ることができる。
【００４４】
また、本実施例によれば、ジョイントボックス４内に熱硬化性樹脂を充填しない場合において、差込コネクタ内に封止材（止水手段）を充填することにより、差込コネクタ内（端子収容部）への外部からの浸水を防ぐことができる。このように上記浸水を防ぐことにより、差込コネクタ内におけるコネクタ用接続端子と導体８との間に水分が介在することにより生じる異種金属間腐食を防ぐことができる。
【００４５】
つぎに、導体８にケーブル用接続端子３を接続する。ところで、導体８にケーブル用接続端子３を接続する作業は、屋内配線用ユニットケーブル１の製造工場、又は、屋内配線用ユニットケーブル１の施工現場で行われている。ここで、製造工場で上記接続を行う場合、導体８の外面の酸化被膜を破壊する工程を含むものとする。そして、酸化被膜を破壊する工程が終了した後、図４に図示するように、ケーブル接続端子３を矢印Ａの指示する方向に移動させ、複数のケーブル２の他端側（差込コネクタに取り付けられる側とは反対側の端末）における絶縁線心５の導体８を、導体挿入口１１から導体接続部１０の内部へと挿入する。なお、導体接続部１０の内部には、予め、封止材を充填させておくものとする。しかる後、導体接続部１０を圧着することにより、図５に図示するように、導体８に導体接続部１０を接続する。また、施工現場で接続を行う場合、上記と同様の手順にて、図５に図示するように、導体８に導体接続部１０を接続した際、凹凸部にて酸化被膜を破壊する。以上により、屋内配線用ユニットケーブル１の組み立て作業が完了する。
【００４６】
ここで、導体８にケーブル用接続端子３を接続したときの作用について説明する。
本実施例によれば、導体８をケーブル用接続端子３と接続しているため、屋内配線用ユニットケーブルと、相手端子金具（例えば、分電盤や、各部屋の器具、配線機器等の端子金具）との接続は、銅からなる端子同士の接続とすることができる。このように同じ材料（銅）からなる端子同士の接続とすることにより、長期にわたる使用により生じる異種金属間腐食を防ぐことができる。
【００４７】
本実施例によれば、導体８にケーブル用接続端子３を接続する作業を、製造工場で行う場合、屋内配線用ユニットケーブル１の製造工程において、導体８の外面の酸化被膜を破壊する工程を含むため、屋内配線用ユニットケーブル１の端末とケーブル用接続端子３とを良好に接続することができる。また、上記接続作業を施工現場で接続を行う場合、導体接続部１０の内面に凹凸部が形成されていることにより、導体８に導体接続部１０を接続した際に、凹凸部にて導体８の外面に生成された酸化被膜を破壊することができる。このように上記酸化被膜を破壊することにより、導体８同士で酸化被膜を介在させずに良好な接続を得ることができる。
【００４８】
また、本実施例によれば、ケーブル用接続端子３の導体接続部１０内に封止材を充填することにより、導体８と導体接続部１０との接続箇所への外部からの浸水を防ぐことができる。このように上記浸水を防ぐことにより、導体８と導体接続部１０との接続箇所に水分が介在することにより生じる異種金属間腐食を防ぐことができる。
【００４９】
以上、説明した本実施例の屋内配線用ユニットケーブル１は、ケーブル用接続端子３を、図６（ａ）に図示する変形例１又は図６（ｂ）に図示する変形例２に置き換えてもよいものとする。以下、図６を参照しながら、本実施例におけるケーブル用接続端子３の変形例について説明する。
【００５０】
＜変形例１＞
図６（ａ）に図示するケーブル用接続端子２０は、本実施例におけるケーブル用接続端子３（図３参照）と基本的な構成及び構造において同様である。ケーブル用接続端子２０は、電気接触部２１の形状が直方体形状に形成されている点において、本実施例におけるケーブル用接続端子３と異なっている。
【００５１】
＜変形例２＞
図６（ｂ）に図示するケーブル用接続端子３０は、本実施例におけるケーブル用接続端子３（図３参照）と基本的な構成及び構造において同様である。ケーブル用接続端子３０は、電気接触部３１の形状が六角柱形状に形成されている点において、本実施例におけるケーブル用接続端子３と異なっている。
【００５２】
本実施例におけるケーブル用接続端子３の変形例は、上記変形例１、２に限定されるものではない。その他、電気接触部の形状は、特に図示しないが、上記以外の多角柱形状であってもよいものとする。
【００５３】
＜その他の変形例＞
本実施例におけるケーブル用接続端子３の上記以外の変形例としては、特に図示しないが、例えば、図３に図示する電気接触部９の形状を、丸端子、クワ型端子又はＹ型端子の電気接触部のような形状に形成したものであってもよいものとする。電気接触部を上記のような形状に形成することにより、ケーブル用接続端子を端子台に接続することができる。
【００５４】
つぎに、本実施例の効果について説明する。
以上、図１−図６を参照しながら説明してきたように、本実施例によれば、アルミニウム又はアルミニウム合金からなる導体８を採用することにより、従来の銅導体のケーブルを採用した屋内配線用ユニットケーブルと比較し軽量化されるため、作業者が配線作業を行い易くなる。また、接続箇所において酸化被膜を介在させずに良好な接続を得ることができるとともに、異種金属間腐食の発生を防ぐことができる。したがって、本実施例によれば、屋内配線作業における施工性を従来よりも向上させつつ、電気接続性能を従来よりも向上させることができるという効果を奏する。
【００５５】
その他、本実施例によれば、以下のような効果を奏する。
すなわち、本実施例では、複数のケーブル２の一端側（差込コネクタに取り付けられる側の端末）と他端側（ケーブル用接続端子３が接続される側）とに接続箇所への外部からの浸水を防ぐ処理が施されているため、ジョイントボックス４内に熱硬化性樹脂を充填しない場合であっても、絶縁線心５間を水分が伝わる虞が無くなる。したがって、本実施例によれば、ジョイントボックス４内に熱硬化性樹脂を充填しない場合であっても、屋内配線用ユニットケーブル１の防水性能を向上させることができるという効果を奏する。
【実施例２】
【００５６】
本発明に係る屋内配線用ユニットケーブルは、実施例１の他、下記の実施例２を用いてもよいものとする。以下、図７−図９を参照しながら、実施例２について説明する。
【００５７】
図７は本発明に係る屋内配線用ユニットケーブルの実施例２におけるケーブル用接続端子を示す斜視図、図８は封止部材を示す斜視図であり、（ａ）は封止部材を前側から視たときの斜視図、（ｂ）は封止部材を後側から視たときの斜視図、図９は絶縁線心の導体にケーブル用接続端子を接続した状態において導体接続部の外側に封止部材を嵌着した状態を示す斜視図である。
なお、実施例１と同一の構成部材には同一の符号を付して詳細な説明を省略する。
【００５８】
本実施例においては、図７に図示するケーブル用接続端子４０と、図８に図示する絶縁チューブ５０を備える点において実施例１と異なっている。以下、ケーブル用接続端子４０と絶縁チューブ５０について説明する。
【００５９】
まず、ケーブル用接続端子４０について説明する。
図７に図示するケーブル用接続端子４０は、実施例１におけるケーブル用接続端子３（図３参照）と基本的な構成及び構造において同様である。ケーブル用接続端子４０は、導体接続部４２の前端側が電気接触部４１にて閉塞されない筒状に形成されている点において実施例１におけるケーブル用接続端子３と異なっている。このような導体接続部４２は、この内部に、ジェル状の封止材を充填できない構造となっている。
【００６０】
つぎに、絶縁チューブ５０について説明する。
図８に図示する絶縁チューブ５０は、特許請求の範囲に記載される「封止部材」に相当するものである。絶縁チューブ５０は、絶縁性を有する合成樹脂材料にて成形され、前端側と後端側とで径の異なる筒状に形成されている。絶縁チューブ５０は、図９に図示するように、絶縁線心５の端末にケーブル用接続端子４０が接続された状態において、導体接続部４２の外側に嵌着することができるように形成されている。
【００６１】
図８に図示する絶縁チューブ５０は、端子導出口５１と、端子挿入口５２と、封止材充填部５３とを備えている。端子導出口５１は、絶縁チューブ５０の前端に形成され、図９に図示するように絶縁チューブ５０を導体接続部４２の外側に嵌着した状態において、電気接触部４１を導出させることができるように形成されている。端子挿入口５２は、絶縁チューブ５０を導体接続部４２の外側に嵌着する際に、ケーブル用接続端子４０を前端側から挿入させることができるように形成されている。封止材充填部５３は、端子導出口５１と端子挿入口５２とに連通し、図示しないジェル状の封止材を充填させる空間として形成されている。
【００６２】
なお、封止部材としては、上記絶縁チューブ５０の他に、例えば、図示しない圧着スリーブを採用してもよいものとする。この圧着スリーブは、絶縁チューブ５０と同様、内部に、ジェル状の封止材を充填させる封止材充填部が形成されている。
【００６３】
つぎに、導体８とケーブル用接続端子４０との接続作業、及び、この接続箇所における止水処理について説明する。
まず、絶縁線心５の導体８（図４参照）を、図７に図示する導体挿入口４１から導体接続部４２の内部へと挿入する。しかる後、導体接続部４２を圧着し導体８と導体接続部４２を接続する。以上により、導体８とケーブル用接続端子４０との接続作業が完了する。
【００６４】
しかる後、絶縁チューブ５０を導体接続部４２の外側に嵌着する。具体的には、まず、端子挿入口５２に、ケーブル用接続端子４０を前端側（電気接触部４１側）から挿入する。なお、封止材充填部５３には、予め、封止材を充填させておくものとする。しかる後、絶縁チューブ５０を導体接続部４２の外側まで移動させ嵌着する。以上により、導体８とケーブル用接続端子４０との接続箇所における止水処理が完了する。
【００６５】
ここで、絶縁チューブ５０を導体接続部４２の外側に嵌着したときの作用について説明する。
本実施例によれば、絶縁チューブ５０の封止材充填部５３に封止材を充填することにより、導体８と導体接続部１０との接続箇所への外部からの浸水を防ぐことができる。このように上記浸水を防ぐことにより、導体８と導体接続部１０との接続箇所に水分が介在することにより生じる異種金属間腐食を防ぐことができる。
【００６６】
つぎに、本実施例の効果について説明する。
以上、図７−図９を参照しながら説明してきたように、本実施例によれば、実施例１と同様の効果を奏する。
【００６７】
この他、本発明は本発明の主旨を変えない範囲で種々変更実施可能なことは勿論である。
【００６８】
上記説明では、屋内配線用ユニットケーブルは、ケーブル接続部と導体接続部の双方に、酸化被膜破壊手段を備える構成であるが、ケーブル接続部と導体接続部のいずれか一方に酸化被膜破壊手段を備える構成であっても有効である。
【００６９】
また、上記説明では、屋内配線用ユニットケーブルは、ケーブル接続部と導体接続部の双方に、止水手段を備える構成であるが、ケーブル接続部と導体接続部のいずれか一方に止水手段を備える構成であっても有効である。
【符号の説明】
【００７０】
１…屋内配線用ユニットケーブル、  ２…ケーブル、  ３、２０、３０、４０…ケーブル用接続端子（端子）、  ４…ジョイントボックス、  ５…絶縁線心、  ６…シース、  ７…絶縁体、  ８…導体、  ９、２１、３１、４１…電気接触部、  １０、２２、３２、４２…導体接続部、  １１、４３…導体挿入口、  １２、２４、３４、４４…内面、  １３…開口、  ５０…絶縁チューブ（封止部材）、  ５１…端子導出口、  ５２…端子挿通口、  ５３…封止材充填部
【図１】
2020031465.tif 000003
【図２】
2020031465.tif 000004
【図３】
2020031465.tif 000005
【図４】
2020031465.tif 000006
【図５】
2020031465.tif 000007
【図６】
2020031465.tif 000008
【図７】
2020031465.tif 000009
【図８】
2020031465.tif 000010
【図９】
2020031465.tif 000011